(57)【特許請求の範囲】
【請求項１】
入力した画像情報を順次表示する情報表示装置であって、
広告情報と、該広告情報に関連付けられた広告キーワードと、を取得して記憶する広告処理部と、
ユーザ操作に従って取得されたオリジナルキーワードを記憶するオリジナルキーワード記憶部と、
前記オリジナルキーワード記憶部に記憶されるオリジナルキーワードと相関の高いキーワードである関連キーワードを取得して記憶するキーワード取得部と、
前記広告処理部が記憶する広告キーワードが、前記オリジナルキーワード記憶部に記憶されるオリジナルキーワードと、前記キーワード取得部が取得する関連キーワードと、の少なくとも一方に一致する広告キーワードに関連付けられた広告情報を選択する広告選択部と、
前記画像情報、および前記広告選択部により選択された広告情報を表示する表示部と、
を備え、
前記キーワード取得部は、
前記オリジナルキーワード記憶部が記憶するオリジナルキーワードの一覧であるオリジナルキーワード一覧を外部のサーバに送信するオリジナルキーワード一覧送信部と、
前記外部のサーバから前記関連キーワードを受信する関連キーワード受信部と、
前記関連キーワード受信部が受信した関連キーワードを保持する関連キーワード保持部と、を有し、
前記オリジナルキーワード一覧送信部は、前記関連キーワード受信部が前回受信した関連キーワードを前記オリジナルキーワード一覧に含めて前記外部のサーバに送信する情報表示装置。
【請求項２】
前記オリジナルキーワードとしての文字列の入力を受け付ける入力部をさらに備え、
前記オリジナルキーワード記憶部は、前記入力部により受け付けられたオリジナルキーワードを記憶することを特徴とする請求項１に記載の情報表示装置。
【請求項３】
表示される広告情報を閲覧するユーザの操作に基づいて前記広告情報に関連付けられている複数の広告キーワードから選別して、オリジナルキーワードとして取得する新規キーワード取得部をさらに備え、
前記オリジナルキーワード記憶部は、前記新規キーワード取得部により取得されたオリジナルキーワードを記憶することを特徴とする請求項１又は２に記載の情報表示装置。
【請求項４】
前記新規キーワード取得部は、広告情報に対する処理に関する命令を受け付けた場合に、該処理内容に応じて該広告情報に関連付けられた広告キーワードの評価値を変更することによって、該広告キーワードを評価し、評価値が高い広告キーワードを新規キーワードとして取得する、
請求項３に記載された情報表示装置。
【請求項５】
画像情報を送信する情報送信端末と、画像情報を順次表示する情報表示装置と、前記情報送信端末及び前記情報表示装置と通信可能な状態で接続されている配信サーバと、を含んで構成される情報表示システムであって、
前記情報表示装置は、
広告情報と、該広告情報に関連付けられた広告キーワードとを取得して記憶する広告処理部と、
ユーザ操作に従って取得されたオリジナルキーワードを記憶するオリジナルキーワード記憶部と、
前記オリジナルキーワード記憶部に記憶されるオリジナルキーワードと相関が高いキーワードである関連キーワードを前記配信サーバから取得して記憶するキーワード取得部と、
前記広告処理部が記憶する広告キーワードが、前記オリジナルキーワード記憶部に記憶されるオリジナルキーワードと、前記キーワード取得部が取得する関連キーワードと、の少なくとも一方に一致する広告キーワードに関連付けられた広告情報を選択する広告選択部と、
前記画像情報、および前記広告選択部により選択された広告情報を表示する表示部と、
を備え、
前記キーワード取得部は、
前記オリジナルキーワード記憶部が記憶するオリジナルキーワードの一覧であるオリジナルキーワード一覧を前記配信サーバに送信するオリジナルキーワード一覧送信部と、
前記配信サーバから前記関連キーワードを受信する関連キーワード受信部と、
前記関連キーワード受信部が受信した関連キーワードを保持する関連キーワード保持部と、を有し、
前記オリジナルキーワード一覧送信部は、前記関連キーワード受信部が前回受信した関連キーワードを前記オリジナルキーワード一覧に含めて前記配信サーバに送信し、
前記配信サーバは、
前記情報表示装置から前記オリジナルキーワードの一覧であるオリジナルキーワード一覧を受信するオリジナルキーワード一覧受信部と、
前記オリジナルキーワード一覧受信部が受信したオリジナルキーワード一覧に含まれている各オリジナルキーワードに基づいて前記関連キーワードを判断する相関判断部と、
前記相関判断部が判断した関連キーワードを前記情報表示装置へ送信する関連キーワード送信部と、
を備える情報表示システム。
【請求項６】
入力した画像情報を順次表示する情報表示装置において実行される情報表示方法であって、
広告情報と、該広告情報に関連付けられた広告キーワードと、を取得して記憶する広告処理ステップと、
ユーザ操作に従って取得されたオリジナルキーワードをオリジナルキーワード記憶部に記憶するオリジナルキーワード記憶ステップと、
前記オリジナルキーワード記憶ステップにおいて記憶されたオリジナルキーワードと相関が高いキーワードである関連キーワードを取得して記憶するキーワード取得ステップと、
前記広告処理ステップにおいて記憶された広告キーワードが、前記オリジナルキーワード記憶部に記憶されるオリジナルキーワードと、前記キーワード取得ステップにおいて取得された関連キーワードと、の少なくとも一方に一致する広告キーワードに関連付けられた広告情報を選択する広告選択ステップと、
前記画像情報、および前記広告選択ステップにおいて選択された広告情報を表示する表示ステップと、
を含み、
前記キーワード取得ステップでは、
前記オリジナルキーワード記憶部が記憶するオリジナルキーワードの一覧であるオリジナルキーワード一覧を外部のサーバに送信するオリジナルキーワード一覧送信ステップと、
前記外部のサーバから前記関連キーワードを受信する関連キーワード受信ステップと、
前記関連キーワード受信ステップで受信した関連キーワードを保持する関連キーワード保持部と、を有し、
前記オリジナルキーワード一覧送信ステップでは、前記関連キーワード受信ステップで前回受信した関連キーワードを前記オリジナルキーワード一覧に含めて前記外部のサーバに送信する情報表示方法。
【発明の詳細な説明】
【技術分野】
【０００１】
本発明は、入力した情報を順次表示する情報表示装置、該情報表示装置を含む情報表示システム、及び情報表示方法に関する。
【背景技術】
【０００２】
人の嗜好に合った広告をその人に対して送信する技術に関する文献として、例えば以下の特許文献１がある。
【０００３】
特許文献１には、アプリケーションサービスを提供するサーバ（ＷＷＷサーバ）からユーザ端末に広告情報を自動配信するシステムにおいて、ユーザの利用に伴い入力された電子情報（例えばワープロソフトで作成された文章）が定期的に走査されて単語の頻出度が測定され、当該測定された単語の頻出度と、予め把握されている分野毎の各キーワードの使用頻度と、に基づいてユーザの嗜好分野を分析し、当該分析された嗜好分野に関連する広告情報がユーザ端末に対して送信される、技術が開示されている。
【先行技術文献】
【特許文献】
【０００４】
【特許文献１】特開２００２−１３３２７１
【発明の概要】
【発明が解決しようとする課題】
【０００５】
しかしながら、特許文献１に記載された方法では、ユーザの嗜好に合った特定の分野を絞り込み、当該特定の分野に関連する広告情報が送信されるため、送信される広告の種類に広がりを持たせることが出来ず、且つ特定の分野に偏重してしまうという問題があった。この問題は、システムを利用し始めてから時間が多くは経過していない時期、即ち、ユーザプロファイルとしての電子情報の蓄積が少ない時期において、特に顕著である。
【０００６】
そこで、本件の発明は、上記課題に鑑み、利用し始めてから時間が多くは経過しておらず、ユーザプロファイル情報が多くは登録されていない時期であっても、特定の分野に偏重することなく、多様な種類の広告を表示することが可能となる情報表示装置、情報表示システム、及び情報表示方法を提供することを課題とする。
【課題を解決するための手段】
【０００７】
上述の課題を解決するため、本発明の情報表示装置は、入力した画像情報を順次表示する情報表示装置であって、広告情報と、該広告情報に関連付けられた広告キーワードと、を取得して記憶する広告処理部と、ユーザ操作に従って取得されたオリジナルキーワードを記憶するオリジナルキーワード記憶部と、オリジナルキーワード記憶部に記憶されるオリジナルキーワードと相関の高いキーワードである関連キーワードを取得して記憶するキーワード取得部と、広告処理部が記憶する広告キーワードが、オリジナルキーワード記憶部に記憶されるオリジナルキーワードと、キーワード取得部が取得する関連キーワードと、の少なくとも一方に一致する広告キーワードに関連付けられた広告情報を選択する広告選択部と、画像情報、および広告選択部により選択された広告情報を表示する表示部と、を備え、キーワード取得部は、オリジナルキーワード記憶部が記憶するオリジナルキーワードの一覧であるオリジナルキーワード一覧を外部のサーバに送信するオリジナルキーワード一覧送信部と、外部のサーバから関連キーワードを受信する関連キーワード受信部と、関連キーワード受信部が受信した関連キーワードを保持する関連キーワード保持部と、を有し、オリジナルキーワード一覧送信部は、関連キーワード受信部が前回受信した関連キーワードをオリジナルキーワード一覧に含めて外部のサーバに送信する。
【０００８】
このように構成された情報表示装置によれば、情報表示装置の利用者が入力したオリジナルキーワードに関する情報に基づいて取得したオリジナルキーワードだけではなく、オリジナルキーワードと相関が高いキーワードである関連キーワードと、広告情報と関連付けられた広告キーワードと、を比較して広告情報を表示するか否かを判断するため、ユーザプロファイル（オリジナルキーワード）が多く登録されていない時期であっても、特定の分野に偏重することなく、多様な種類の広告情報を表示することが可能となる。
【０００９】
また、情報表示装置は、オリジナルキーワードとしての文字列の入力を受け付ける入力部をさらに備え、オリジナルキーワード記憶部は、入力部により受け付けられたオリジナルキーワードを記憶することが好適である。
【００１０】
キーワード処理部をこのような構成とすることで、情報表示装置の利用者は個別且つ直接にオリジナルキーワードの入力を行うことが可能となる。
【００１１】
また、情報表示装置は、表示される広告情報を閲覧するユーザの操作に基づいて広告情報に関連付けられている複数の広告キーワードから選別して、オリジナルキーワードとして取得する新規キーワード取得部をさらに備え、オリジナルキーワード記憶部は、新規キーワード取得部により取得されたオリジナルキーワードを記憶することが好適である。
【００１２】
情報表示装置をこのような構成とすることで、情報表示装置の利用者は特別な操作をすることなく、オリジナルキーワードを保持することが可能となる。
【００１７】
また、情報表示装置は、新規キーワード取得部は、広告情報に対する処理に関する命令を受け付けた場合に、該処理内容に応じて該広告情報に関連付けられた広告キーワードの評価値を変更することによって、該広告キーワードを評価し、評価値が高い広告キーワードを新規キーワードとして取得することが好適である。
【００１８】
情報表示装置をこのような構成とすることで、情報表示装置は、オリジナルキーワードを情報表示装置の利用者が直接入力すること（直接入力されたオリジナルキーワード）、及び、情報表示装置の利用者が行った広告情報に対する処理に関する命令に基づく自動的な登録（新規キーワード）によって作成することとなる。したがって情報表示装置の利用者は特別な操作をする必要がなく最適なオリジナルキーワードが作成され、特定のキーワードをオリジナルキーワードに含めたい或いは削除したいと望む場合は、情報表示装置の利用者は、直接入力することによって特定のキーワードをオリジナルキーワードに含める或いは削除することが可能となる。
【００１９】
上記課題を解決するために、本発明の情報表示システムは、画像情報を送信する情報送信端末と、画像情報を順次表示する情報表示装置と、情報送信端末及び情報表示装置と通信可能な状態で接続されている配信サーバと、を含んで構成される情報表示システムであって、情報表示装置は、広告情報と、該広告情報に関連付けられた広告キーワードとを取得して記憶する広告処理部と、ユーザ操作に従って取得されたオリジナルキーワードを記憶するオリジナルキーワード記憶部と、オリジナルキーワード記憶部に記憶されるオリジナルキーワードと相関が高いキーワードである関連キーワードを配信サーバから取得して記憶するキーワード取得部と、広告処理部が記憶する広告キーワードが、オリジナルキーワード記憶部に記憶されるオリジナルキーワードと、キーワード取得部が取得する関連キーワードと、の少なくとも一方に一致する広告キーワードに関連付けられた広告情報を選択する広告選択部と、画像情報、および広告選択部により選択された広告情報を表示する表示部と、を備え、キーワード取得部は、オリジナルキーワード記憶部が記憶するオリジナルキーワードの一覧であるオリジナルキーワード一覧を配信サーバに送信するオリジナルキーワード一覧送信部と、配信サーバから前記関連キーワードを受信する関連キーワード受信部と、関連キーワード受信部が受信した関連キーワードを保持する関連キーワード保持部と、を有し、オリジナルキーワード一覧送信部は、関連キーワード受信部が前回受信した関連キーワードをオリジナルキーワード一覧に含めて配信サーバに送信し、配信サーバは、情報表示装置からオリジナルキーワードの一覧であるオリジナルキーワード一覧を受信するオリジナルキーワード一覧受信部と、オリジナルキーワード一覧受信部が受信したオリジナルキーワード一覧に含まれている各オリジナルキーワードに基づいて関連キーワードを判断する相関判断部と、相関判断部が判断した関連キーワードを情報表示装置へ送信する関連キーワード送信部と、を備える。
【００２０】
このように構成された情報表示システムによれば、情報表示装置の利用者が入力したオリジナルキーワードに関する情報に基づいて取得したオリジナルキーワードだけでなく、配信サーバがオリジナルキーワードと相関が高いと判断したキーワードである関連キーワードと、広告情報と関連付けられた広告キーワードと、を比較して広告情報を表示するか否かを判断しているため、ユーザプロファイル（オリジナルキーワード）が多く登録されていない時期であっても、特定の分野に偏重することなく、多様な種類の広告情報を表示することが可能となる。
【００２１】
上記課題を解決するために、本発明の情報表示方法は、入力した画像情報を順次表示する情報表示装置において実行される情報表示方法であって、広告情報と、該広告情報に関連付けられた広告キーワードと、を取得して記憶する広告処理ステップと、ユーザ操作に従って取得されたオリジナルキーワードをオリジナルキーワード記憶部に記憶するオリジナルキーワード記憶ステップと、オリジナルキーワード記憶ステップにおいて記憶されたオリジナルキーワードと相関が高いキーワードである関連キーワードを取得して記憶するキーワード取得ステップと、広告処理ステップにおいて記憶された広告キーワードが、オリジナルキーワード記憶部に記憶されるオリジナルキーワードと、キーワード取得ステップにおいて取得された関連キーワードと、の少なくとも一方に一致する広告キーワードに関連付けられた広告情報を選択する広告選択ステップと、画像情報、および広告選択ステップにおいて選択された広告情報を表示する表示ステップと、を含み、キーワード取得ステップでは、オリジナルキーワード記憶部が記憶するオリジナルキーワードの一覧であるオリジナルキーワード一覧を外部のサーバに送信するオリジナルキーワード一覧送信ステップと、外部のサーバから関連キーワードを受信する関連キーワード受信ステップと、関連キーワード受信ステップで受信した関連キーワードを保持する関連キーワード保持部と、を有し、オリジナルキーワード一覧送信ステップでは、関連キーワード受信ステップで前回受信した関連キーワードをオリジナルキーワード一覧に含めて外部のサーバに送信する。
【００２２】
このような情報表示方法によれば、情報表示装置の利用者が入力したオリジナルキーワードに関する情報に基づいて取得したオリジナルキーワードだけでなく、オリジナルキーワードと相関が高いキーワードである関連キーワードと、広告情報と関連付けられた広告キーワードと、を比較して広告情報を表示するか否かを判断しているため、ユーザプロファイル（オリジナルキーワード）が多く登録されていない時期であっても、特定の分野に偏重することなく、多様な種類の広告情報を表示することが可能となる。
【発明の効果】
【００２３】
本発明によって、利用し始めてから時間が多くは経過しておらず、ユーザプロファイル情報が多くは登録されていない時期であっても、特定の分野に偏重することなく、多様な種類の広告を表示することが可能となる。
【図面の簡単な説明】
【００２４】
【図１】実施の形態における情報表示システムの概要を説明するための図である。
【図２】実施の形態における情報表示システムの機能構成を示す図である。
【図３】広告キーワードの例を示す図である。
【図４】図２におけるキーワード処理部及び関連キーワード判断部の機能構成の詳細を示す図である。
【図５】図４における広告キーワード評価部に蓄積されている情報の例を示す図である。
【図６】図４における集計値蓄積部が蓄積する情報の例を示す図である。
【図７】実施の形態におけるデジタルフォトフレームの物理的構成を示す図である。
【図８】図２における情報表示システムの処理の流れを説明するための図である。
【図９】図８におけるキーワードの処理及び関連キーワードの判断の処理の詳細を説明するための図である。
【図１０】関連キーワードを説明するための図である。
【発明を実施するための形態】
【００２５】
本発明の実施形態に係る情報表示システム１について、図面を参照して説明する。なお、説明において、同一要素又は同一機能を有する要素には同一符号を用いることとし、重複する説明は省略する。
【００２６】
図１は、本実施形態の情報表示システム１の概要を説明するための図である。この図を用いて本実施形態に係るデジタルフォトフレーム３０の概略を説明するが、各構成要素の機能については図２及び４を用いて後述する。
【００２７】
本実施形態におけるデジタルフォトフレーム（情報表示装置）３０は、主に個人で所有する端末であって、何れかの方法で入力されたデータの中から画像ファイル或いは映像ファイルの情報を自動的に識別し、当該識別した画像ファイル或いは映像ファイルを一定間隔で順次表示（スライドショー）する端末である。以下、発明の説明のための例では、デジタルカメラで撮影された写真等の画像情報を表示する例を説明する。但し、本発明の応用範囲を画像情報を表示する端末に限定する必要はなく、映像その他様々な情報を表示可能である装置に適応可能であることは言うまでもない。
【００２８】
本実施形態のデジタルフォトフレーム３０は、移動電話事業者などが設置する基地局（図示せず）が形成する無線通信エリアに属し、基地局を介してネットワークへ接続する。デジタルフォトフレーム３０の利用者宅内に設置された中継器を介して接続してもよい。
【００２９】
但し、本発明は無線或いは有線ＬＡＮを介してインターネットに直接接続可能であるデジタルフォトフレーム３０に対しても適用可能である。広告主サーバ４０は、広告情報の配信を望む企業等（以後、“広告主”と称する）が保持するサーバに該当する。情報送信端末１０は、デジタルフォトフレーム３０に表示される情報（画像情報、映像情報等）を発信する者が保持する携帯端末等に該当する。
【００３０】
例えば孫の写真を祖父、祖母に見せたい親が、デジタルカメラで撮った孫の写真のファイルを、メールに添付して祖父、祖母が所有するデジタルフォトフレーム３０に送信すると、デジタルフォトフレーム３０は自動的に当該写真をスライドショーによって表示する。
【００３１】
本実施形態におけるデジタルフォトフレーム３０は、広告情報を配信サーバ２０から受信する。デジタルフォトフレーム３０は、スライドショーの形で順次表示する写真情報と写真情報との間に広告情報を表示する。
【００３２】
次に、図２を用いて本実施形態における情報表示システム１の各構成要素が備える機能について説明する。図２に示すように情報表示システム１は、情報送信端末１０、配信サーバ２０、デジタルフォトフレーム３０、及び広告主サーバ４０を含んで構成される。
【００３３】
情報送信端末１０は、デジタルカメラで撮影した写真などの画像情報をデジタルフォトフレーム３０を特定する識別子と供に配信サーバ２０に対して送信する端末である。デジタルフォトフレーム３０を特定する識別子とは、具体的にはメールアドレスである。本実施形態におけるデジタルフォトフレーム３０は、携帯電話と同様にそれぞれの単体ごとに一つのメールアドレスが割当てられている。メールアドレスを用いることによって、デジタルフォトフレーム３０に対して画像情報を送信しようとする者は、電子メールに画像情報を添付して送信すれば良いため、操作が煩雑にならないという効果を得ることができる。
【００３４】
発明を説明するための例としてここでは、情報送信端末１０として携帯電話を用いる。但し、情報送信端末１０は、これに限らず、簡易型携帯電話機（ＰＨＳ：Personal Handy-phone System）、通信機能を有する携帯型情報端末（ＰＤＡ：Personal DigitalAssistant）、或いは、パーソナルコンピュータ（ＰＣ：Personal Computer）等であっても良い。
【００３５】
配信サーバ２０は、ネットワークを通じて情報送信端末１０、デジタルフォトフレーム３０、及び広告主サーバ４０と通信可能な状態で接続されている。配信サーバ２０は、情報送信端末１０から画像情報、並びに、広告主サーバ４０から広告情報及び該広告情報と関連付けられた広告キーワード、を受信し、それらをデジタルフォトフレーム３０に送信或いは配信する機能を有する。また、配信サーバ２０は、後述の関連キーワードをデジタルフォトフレーム３０に対して送信する機能を有する。
【００３６】
本実施形態においては、配信サーバ２０は一つのサーバとして説明しているが、配信サーバ２０が備える機能を複数のサーバに分散しても良い。
【００３７】
デジタルフォトフレーム３０は、配信サーバ２０を介して情報送信端末１０から画像情報を受信して該画像情報を自動的に順次表示する機能を備える。本実施形態のデジタルフォトフレーム３０は、更に、配信サーバ２０を介して広告主サーバ４０から広告情報および広告キーワードを受信し、受信した広告情報の中から適切な広告情報を選択し、該選択された広告情報を画像情報と供に表示する機能を有する。
【００３８】
広告主サーバ４０は、広告情報を広告キーワードと関連付けた状態で配信サーバ２０に送信する機能を有する。
【００３９】
更に、各装置について詳細に説明する。配信サーバ２０は、具体的には、画像送信部２１、広告配信部２２、及び関連キーワード判断部２３を含んで構成される。
【００４０】
画像送信部２１は、情報送信端末１０から画像情報を受信し、一時蓄積した後、受信した画像情報をデジタルフォトフレーム３０に対して送信する機能を有する。
【００４１】
広告配信部２２は、広告主サーバ４０から広告情報及び該広告情報と関連付けられた広告キーワードを受信し、一時蓄積した後、受信した広告情報及び広告キーワードをデジタルフォトフレーム３０に配信する機能を有する。
【００４２】
本実施形態の広告配信部２２は、デジタルフォトフレーム３０の利用者のプロファイルに関わらず同一の広告情報を同時に複数のデジタルフォトフレーム３０に配信している。後述するように、当該配信された広告情報の中からデジタルフォトフレーム３０の広告選択部３４が適切な広告情報を選択している。言い換えると、配信サーバ２０においてデジタルフォトフレーム３０の利用者のプロファイルを参照することにより広告情報を選択し、選択した広告情報をデジタルフォトフレーム３０に送信する必要はない。これによって、デジタルフォトフレーム３０は、個人情報と関連付けられたプロファイル情報を配信サーバ２０に送信する必要がないため、個人情報を外部に送信することを望まない利用者も安心してデジタルフォトフレーム３０を利用することが可能となるという効果を得る。同時に、配信サーバ２０はプロファイルに関わらず（放送局のように）同一の広告情報を同時に複数のデジタルフォトフレーム３０に配信すれば良いため処理が単純になるという効果を得る。
【００４３】
関連キーワード判断部２３は、デジタルフォトフレーム３０からオリジナルキーワード一覧を受信し、受信したオリジナルキーワード一覧に含まれている各オリジナルキーワードと相関が高いキーワードである関連キーワードをデジタルフォトフレーム３０に送信する機能を備える。
【００４４】
ここで、オリジナルキーワードとは、デジタルフォトフレーム３０が表示する広告情報と関連するキーワードのことを指す。オリジナルキーワードとは、具体的には、デジタルフォトフレーム３０の利用者が直接入力することでデジタルフォトフレーム３０内に登録される「直接入力されたオリジナルキーワード」と、デジタルフォトフレーム３０の利用者が行う広告情報に対する処理に関する命令の内容に応じてデジタルフォトフレーム３０内に自動的に蓄積される「新規キーワード」と、を含む。なお、本明細書において、「直接入力されたオリジナルキーワードに関する情報」及び「広告情報に対する処理に関する命令に関する情報」の二つの情報を含めて「オリジナルキーワードに関する情報」と称する。
【００４５】
オリジナルキーワードの直接入力に関する情報は、新たに登録したいオリジナルキーワードそのものの情報の他に、オリジナルキーワードを修正する命令に関する情報、及び登録済みのオリジナルキーワードを削除する命令に関する情報を含む。
【００４６】
新規キーワードとは、具体的にはデジタルフォトフレーム３０の利用者の広告閲覧状況に応じて定められたキーワードを指す（後述）。
【００４７】
オリジナルキーワードに関する情報とは、後述のキーワード処理部３６がオリジナルキーワードを取得するために必要となる情報のことを指す。本実施形態においては、「広告情報に対する処理に関する命令」として、「広告情報の詳細を表示する命令」、及び、「広告情報を削除する命令」を用いるが、これらの具体的な命令の種類は発明を説明するための一例である。
【００４８】
オリジナルキーワード一覧とは、デジタルフォトフレーム３０が保持しているオリジナルキーワードの一覧のことを指す。デジタルフォトフレーム３０を個人で使用している場合には、結果的に、オリジナルキーワード一覧は、その個人がデジタルフォトフレーム３０に表示させることを望む広告情報と関連付けられた広告キーワードの一覧となる。従って同一のオリジナルキーワード一覧に含まれているオリジナルキーワードは、互いに相関が高いと考えられる。
【００４９】
一台のデジタルフォトフレーム３０を複数人で使用する場合には、一台のパソコンを複数人で共有する場合と同様に個人毎にログイン可能とし、個人毎のオリジナルキーワード一覧を作成しても良い。
【００５０】
関連キーワード判断部２３は、デジタルフォトフレーム３０からオリジナルキーワード一覧を受信し、受信したオリジナルキーワード一覧に含まれている各オリジナルキーワードと相関が高いキーワードである関連キーワードをデジタルフォトフレーム３０に送信する機能を備える。
【００５１】
関連キーワードとは、オリジナルキーワードと相関が高いキーワードを指す。ここでは、ある広告キーワードＡと関連付けられた広告情報Ａを表示することを望む人は、別の広告キーワードＢと関連付けられた広告情報Ｂを表示することを望む可能性が一般的に高いことを“広告キーワードAと広告キーワードＢとは相関が高い”と称する。
【００５２】
関連キーワード判断部２３がオリジナルキーワード一覧から関連キーワードを判断する機能の詳細については後述する。
【００５３】
次に、デジタルフォトフレーム３０の機能について説明する。
【００５４】
本実施形態のデジタルフォトフレーム３０は、画像処理部３１、広告処理部３２、表示部３３、広告選択部３４、入力部３５、及びキーワード処理部３６を含んで構成されている。
【００５５】
画像処理部３１は、配信サーバ２０から画像情報を受信し、受信した画像情報を保持する機能を有する。具体的には、画像処理部３１は、画像情報受信部３１１、画像情報保持部３１２、及び画像情報出力部３１３を含んで構成される。
【００５６】
画像情報受信部３１１は、配信サーバ２０を介して情報送信端末１０から送信されたメールを受信する機能、メールを受信した際、自動的に、メールの添付ファイルにＪＰＥＧなどの画像フォーマットの情報が含まれていないか判断する機能、及び、受信したメールに画像フォーマットの情報が含まれている場合、必要があれば画像フォーマットを変換し、変換後の情報を画像情報保持部３１２に出力する機能を有する。
【００５７】
画像情報保持部３１２は、画像情報受信部３１１からフォーマット変換後の情報を入力し、画像情報として保持する機能を有する。
【００５８】
画像情報出力部３１３は、所定の規定に従って、画像情報保持部３１２が保持する画像情報を表示部３３に出力する機能を有する。具体的には、例えば、画像情報出力部３１３は、画像情報保持部３１２に保持されている画像情報を、画像情報受信部３１１がそれを受信した順番に所定時間（例えば１分）間隔で表示部３３に出力してもよい。又は、画像情報出力部３１３は、所定時間（例えば１分）間隔で画像情報保持部３１２に保持されている画像情報から無作為に一つの画像情報を選択し、該選択した画像情報を表示部３３に送信してもよい。
【００５９】
なお、デジタルフォトフレーム３０がメモリカードなどの外部メモリを接続可能とし、画像情報は、該外部メモリを介して取得されてもよい。その場合、画像処理部３１は、外部メモリが接続されたことを感知する機能（図示せず）を更に備え、当該機能により外部メモリが接続されたことが感知された場合、自動的に、画像情報受信部３１１は、外部メモリにＪＰＥＧなどの画像フォーマットの情報がないか判断し、画像フォーマットの情報がある場合、必要があれば画像フォーマットを変換し、変換後の情報を画像情報保持部３１２に出力して、画像情報保持部３１２は、入力した情報を画像情報として保持しても良い。
【００６０】
広告処理部３２は、配信サーバ２０から広告情報及び広告キーワードを受信し、受信した広告情報及び広告キーワードを保持する機能を有する。広告キーワードとは、広告情報の内容を表すキーワードのことを指す。広告キーワードは、広告主が設定しても良い。また、一つの広告情報に対して複数の広告キーワードを関連付けても良い。広告情報は、簡易情報と詳細情報とから構成されている。簡易情報は、後述の表示部３３が表示できる程度の大きさの一枚の静止画情報であることが好適である。但し、簡易情報は、これに限定されず、例えば動画情報であっても良いし、アイコン情報であっても良い。詳細情報は、簡易情報を見て広告の内容に興味を持ったデジタルフォトフレーム３０の利用者の命令によって表示される情報であって、形式は特に限定しない。
【００６１】
具体的には、広告処理部３２は、広告情報受信部３２１、広告情報保持部３２２、及び広告情報出力部３２３を含んで構成される。
【００６２】
広告情報受信部３２１は、配信サーバ２０から広告情報と広告キーワードとを受信する機能、及び受信した広告情報と広告キーワードとを広告情報保持部３２２に出力する機能を有する。
【００６３】
広告情報保持部３２２は、広告情報受信部３２１から広告情報及び広告キーワードを入力し、入力した広告情報及び広告キーワードを保持する機能を有する。
【００６４】
広告情報出力部３２３は、広告情報保持部３２２が保持する簡易情報及び広告キーワードを広告選択部３４に出力する機能、後述の入力部３５から、広告情報に対する処理に関する命令として広告情報の詳細を表示する命令を入力した場合に対応する詳細情報を広告情報保持部３２２から得て、得た詳細情報を表示部３３に出力する機能を有する。
【００６５】
表示部３３は、画像処理部３１が保持する画像情報、及び後述の広告選択部３４が選択した表示する広告情報を表示する機能を有する。
【００６６】
本実施形態においては、デジタルフォトフレーム３０の表示部３３は、画像情報の表示と次の画像情報の表示との間に簡易情報を表示している。例えば、画像情報を１分間隔で順次表示して、画像情報を５回表示するたびに簡易情報を１回表示しても良い。画像情報を順次表示すると同時に画面の一部分に簡易情報を表示しても良い。
【００６７】
表示部３３は、画像情報を表示する際に、画像情報を添付しているメールの本文、画像情報ファイルのメタ情報（ファイル名、作成日時、ファイルの大きさなど）、又は、情報送信端末１０の所有者が作成したコメント等を写真に重ねて表示しても良い。
【００６８】
表示部３３は、更にデジタルフォトフレーム３０の利用者が広告情報の詳細を表示する命令を入力した場合には、該広告情報の詳細情報を広告情報出力部３２３から入力し、入力した詳細情報を表示する機能を有する。
【００６９】
広告選択部３４は、後述のキーワード処理部３６が保持するオリジナルキーワード、及び関連キーワードを参照し、広告情報保持部３２２が保持する広告情報について当該広告情報と関連付けられた広告キーワードが後述のキーワード処理部３６が保持するオリジナルキーワード及び関連キーワードのうちの少なくとも一方に含まれているか否かを判断し、含まれていると判断した場合に、該広告情報を表示する広告情報として選択する機能を有する。
【００７０】
具体的には、広告選択部３４は、図３に例示するように複数の広告キーワードが関連付けられた広告情報について、広告キーワードの一部がオリジナルキーワード及び関連キーワードの少なくとも一方に含まれている場合には当該広告情報を表示する広告情報であると判断しても良い。あるいは、複数の広告キーワードが関連付けられている広告情報に対しては、その全ての広告キーワードがオリジナルキーワード及び関連キーワードの少なくとも一方に含まれている場合に該広告情報を表示する広告情報であると判断しても良い。
【００７１】
入力部３５は、デジタルフォトフレーム３０の利用者によるオリジナルキーワードに関する情報の入力を受け付ける機能を有する。上述の通り、発明を説明するための例では、オリジナルキーワードに関する情報としてオリジナルキーワードの直接入力に関する情報、及び広告情報に対する処理に関する命令情報、を用いる。
【００７２】
入力部３５は、更に、デジタルフォトフレーム３０の利用者からオリジナルキーワードに関する情報の入力を受け付けた場合に、受け付けたオリジナルキーワードに関する情報を後述のキーワード処理部３６に対して出力する機能、及び、広告情報に対する処理に関する命令として広告情報の詳細を表示する命令を受け付けた場合に、該命令を受け付けた旨の情報を広告情報出力部３２３に出力する機能を有する。
【００７３】
キーワード処理部３６は、入力部３５が入力を受け付けたオリジナルキーワードに関する情報に基づいてオリジナルキーワード一覧を作成し、作成したオリジナルキーワード一覧を配信サーバ２０へ送信する機能、配信サーバ２０から関連キーワードを受信する機能、並びに、オリジナルキーワード及び関連キーワードを保持する機能を有する。
【００７４】
キーワード処理部３６が、オリジナルキーワード一覧を配信サーバ２０に送信するにあたり、デジタルフォトフレーム３０の利用者の同意を得ても良い。キーワード処理部３６の機能の詳細については、後述する。
【００７５】
本実施形態では、キーワード処理部３６からオリジナルキーワード一覧が送信されるが、デジタルフォトフレーム３０の利用者の個人を特定する情報を送信する必要はない。従って個人情報を外部に送信することを望まない利用者も安心してデジタルフォトフレーム３０を利用することができる。
【００７６】
次に、図４を用いてキーワード処理部３６及び関連キーワード判断部２３が有する機能について詳述する。便宜上キーワード処理部３６から説明する。
【００７７】
本実施形態のキーワード処理部３６は、直接入力部３６１、広告キーワード評価部（新規キーワード所得部）３６２、新規テーブル作成部（新規キーワード所得部）３６３、判断部３６４、オリジナルキーワード記憶部３６５、オリジナルキーワード一覧送信部（キーワード取得部）３６６、関連キーワード受信部（キーワード取得部）３６７、及び関連キーワード保持部（キーワード取得部）３６８を含んで構成されている。
【００７８】
直接入力部３６１は、入力部３５がデジタルフォトフレーム３０の利用者からオリジナルキーワードに関する情報としてオリジナルキーワードの直接入力を受け付けた場合に、当該直接入力されたオリジナルキーワードを入力部３５から入力し、判断部３６４へ出力する機能を有する。
【００７９】
広告キーワード評価部３６２は、入力部３５がオリジナルキーワードに関する情報として広告情報に対する処理に関する命令を受け付けた場合に、受け付けられた処理内容に応じて該広告情報と関連付けられた広告キーワードを評価する機能、及び、広告キーワードと、該広告キーワードと関連付けられた広告キーワードポイントとを蓄積する機能を備える。
【００８０】
広告キーワードポイントとは、デジタルフォトフレーム３０の利用者による各広告キーワードに対する評価の高さを表す数値のことを指す。
【００８１】
具体的には、入力部３５がデジタルフォトフレーム３０の利用者から表示部３３に表示された広告情報の詳細を表示する命令を受け付けた場合、広告キーワード評価部３６２は、表示部３３に表示されている広告情報と関連付けられた広告キーワードと関連付けられた広告キーワードポイントに１を加える。
【００８２】
入力部３５がデジタルフォトフレーム３０の利用者から表示部３３に表示された広告情報を削除する命令を受け付けた場合、広告キーワード評価部３６２は、表示されている広告情報と関連付けられた広告キーワードと関連付けられた広告キーワードポイントから１を減ずる。
【００８３】
広告キーワード評価部３６２は、上記処理を繰り返すことによって蓄積している広告キーワードポイントを適切なものとする。
【００８４】
図３、５（ａ）、及び５（ｂ）を用いて広告キーワード評価部３６２による広告キーワード評価方法について、更に具体的に説明する。
【００８５】
今、広告キーワード評価部３６２は、図５（ａ）に例示する広告キーワードポイントを蓄積しているとする。また、図３に示す広告キーワードが関連付けられている広告情報が表示部３３に表示されているとする。この状態で、入力部３５は、広告情報を削除する命令を受け付けたとする。
【００８６】
入力部３５は、広告情報を削除する命令を受け付けた旨の情報を広告キーワード評価部３６２に通知する。広告キーワード評価部３６２は、表示部３３に対して現在表示されている広告情報を問い合わせる。広告キーワード評価部３６２は、広告情報保持部３２２を参照して現在表示されている広告情報と関連付けられている広告キーワードを得る。広告キーワード評価部３６２は、蓄積している広告キーワードポイントのうち、現在表示されている広告情報と関連付けられた広告キーワードである芸能人名Ｂ、「ケーキ」、及び「カメラ」にそれぞれ関連付けられた広告キーワードポイントから１を減ずる。
【００８７】
図５（ｂ）は上記処理後に広告キーワード評価部３６２が保持している広告キーワードポイントの例を示している。上記の例は、入力部３５が広告情報を削除する命令を受け付けた場合の例であったが、入力部３５が広告情報の詳細を表示する命令を受け付けた場合には、当該広告情報と関連付けられた広告キーワードと関連付けられた広告キーワードポイントは１を加えられることとなる。
【００８８】
このように、広告キーワード評価部３６２がデジタルフォトフレーム３０の利用者による広告情報に対する処理に関する命令に応じて広告キーワードポイントを累積的に加減することにより、デジタルフォトフレーム３０の利用者が特別な操作をする必要なく、デジタルフォトフレーム３０の利用者が表示を望む広告情報と関連付けられた広告キーワードと関連付けられた広告キーワードポイントは、増加し、表示を望まない（つまり削除することを望む）広告情報と関連付けられた広告キーワードと関連付けられた広告キーワードポイントは、減少することとなる。
【００８９】
図４に戻り、新規テーブル作成部３６３は、前回新規キーワードテーブルが作成されてから所定の時間（例えば１週間或いは１ヶ月）が経過した場合、広告キーワード評価部３６２が蓄積している広告キーワードポイントが高い広告キーワードである新規キーワードを所定の数（例えば１０個）含んだ新規キーワードテーブルを作成する機能を有する。
【００９０】
また、新規テーブル作成部３６３は、新規キーワードテーブルを作成した場合に広告キーワード評価部３６２が蓄積している広告キーワードポイントの値を全て０とする機能を有する。
【００９１】
更に、新規テーブル作成部３６３は、作成した新規キーワードテーブルを判断部３６４に出力する機能を備える。
【００９２】
このような機能によって、所定の時間デジタルフォトフレーム３０の利用者による広告情報に対する処理に関する命令の内容に応じた各広告キーワードに対する評価を蓄積し、評価の高い広告キーワードを新規キーワードとして新規キーワードテーブルに含めることとなる。従って、デジタルフォトフレーム３０の利用者が表示を望む広告情報（表示する広告情報）と関連付けられた広告キーワードが新規キーワードテーブルに含まれることとなる。
【００９３】
新規テーブル作成部３６３が前回新規キーワードテーブルを作成してから今回新規キーワードテーブルを作成するまでの所定の時間は、デジタルフォトフレーム３０の利用者によって自由に設定可能であっても良い。例えば“１週間”に設定した場合には後述のオリジナルキーワード一覧の更新が比較的に頻繁になされ、最新の関心事に応じた広告情報を表示することが可能となる。所定の時間を例えば１ヶ月とすれば比較的長期間広告情報に対する処理に関する命令を蓄積するため、繰り返されない短期的な関心事による影響を希釈することが可能となる。
【００９４】
新規キーワードテーブルに含める新規キーワードの所定の数は、デジタルフォトフレーム３０の利用者によって自由に設定可能であっても良い。所定の数が少なければ少ないほど（例えば３個）最も関心の高いキーワードだけを新規キーワードテーブルに含めることが可能となる。所定の数が多ければ多いほど（例えば２０個）広く種々のキーワードを新規キーワードテーブルに含めることが可能となる。したがって、デジタルフォトフレーム３０の利用者が、新規キーワードテーブルに含める新規キーワードの所定の数を自由に設定可能とすることにより、表示する広告情報の種類の幅を変更することが可能となる。
【００９５】
判断部３６４は、直接入力されたオリジナルキーワード、及び、新規テーブル作成部３６３が作成した新規キーワードテーブルに含まれる新規キーワードがオリジナルキーワード記憶部３６５に既に保持されていないか判断する機能を有する。
【００９６】
具体的には、判断部３６４が直接入力されたオリジナルキーワードを入力した場合には、判断部３６４は、オリジナルキーワード記憶部３６５を参照することにより、オリジナルキーワード記憶部３６５に当該直接入力されたオリジナルキーワードが保持されているか否かを判断する。保持されていないと判断した場合、判断部３６４は、オリジナルキーワード記憶部３６５に対して直接入力されたオリジナルキーワードを出力する。
【００９７】
判断部３６４が直接入力されたオリジナルキーワードがオリジナルキーワード記憶部３６５に保持されていると判断した場合、判断部３６４は、オリジナルキーワード記憶部３６５に該直接入力されたオリジナルキーワードを出力しない。この場合、判断部３６４は、表示部３３に対して「入力されたキーワードは既に登録済みです」等の表示をする指示を出力しても良い。
【００９８】
判断部３６４がオリジナルキーワードの直接入力の命令として、オリジナルキーワードを削除する命令を入力した場合には、判断部３６４は、命令の対象となったオリジナルキーワードがオリジナルキーワード記憶部３６５に保持されているか否かを判断し、保持されていると判断した場合には、該オリジナルキーワードを削除する。判断部３６４が命令の対象となったオリジナルキーワードがオリジナルキーワード記憶部３６５に保持されていないと判断した場合には、判断部３６４は、表示部３３に対して「キーワードの登録はありません」等の表示をする指示を出力しても良い。
【００９９】
判断部３６４がオリジナルキーワードの直接入力の命令として、オリジナルキーワードを変更する命令を入力した場合は、上記オリジナルキーワードを削除する命令を入力した場合と同様の処理を行った後に、上記説明した直接入力されたオリジナルキーワードをオリジナルキーワード記憶部３６５に保持する処理と同様の処理を行う。
【０１００】
判断部３６４が新規キーワードテーブルを入力した場合には、判断部３６４は、該新規キーワードテーブルに含まれている全ての新規キーワードについてオリジナルキーワード記憶部３６５が保持しているか否かを判断する。新規キーワードテーブルに含まれている全て或いは一部の新規キーワードについてオリジナルキーワード記憶部３６５に保持されていないと判断した場合には、判断部３６４は、オリジナルキーワード記憶部３６５に保持されていないと判断した新規キーワードについてオリジナルキーワード記憶部３６５に出力する。
【０１０１】
新規キーワードがオリジナルキーワード記憶部３６５に出力された場合、判断部３６４は、表示部３３に対して「新たなキーワードが自動的に登録されました」等の表示と、判断部３６４がオリジナルキーワード記憶部３６５に出力した新規キーワードの内容の表示と、をする指示をしても良い。
【０１０２】
新規キーワードテーブルに含まれている全ての新規キーワードについてオリジナルキーワード記憶部３６５に保持されていると判断した場合には、判断部３６４は、新規キーワードテーブルを出力しない。
【０１０３】
オリジナルキーワード記憶部３６５は、直接入力されたオリジナルキーワード、及び、新規テーブル作成部３６３によって作成された新規キーワードテーブルに含まれる新規キーワードを、オリジナルキーワードとして保持する機能を有する。
【０１０４】
具体的には、判断部３６４が直接入力されたオリジナルキーワード、或いは新規キーワードテーブルに含まれる新規キーワードがオリジナルキーワード記憶部３６５に保持されていないと判断した場合、オリジナルキーワード記憶部３６５は、それらのキーワードを判断部３６４から入力し、入力したキーワードをオリジナルキーワードとして保持する。このオリジナルキーワードは、関連キーワードと供に広告選択部３４による表示する広告情報の選択の基準となる。
【０１０５】
この時、オリジナルキーワード記憶部３６５は、新たに入力したオリジナルキーワードを既に保持しているオリジナルキーワード一覧に追加しても良い。或いは、新たに入力したオリジナルキーワードで既に保持しているオリジナルキーワード一覧を更新してもよい。
【０１０６】
オリジナルキーワード一覧送信部３６６は、配信サーバ２０に対してオリジナルキーワード一覧を送信する機能を有する。
【０１０７】
具体的には、オリジナルキーワード一覧送信部３６６は、オリジナルキーワード記憶部３６５に保持されている全てのオリジナルキーワードをまとめてオリジナルキーワード一覧として配信サーバ２０に送信する。
【０１０８】
送信する時期は、デジタルフォトフレーム３０の利用者によって自由に設定可能としても良い。また、配信サーバ２０がオリジナルキーワード一覧の送信を要求しても良い。
【０１０９】
関連キーワード受信部３６７は、配信サーバ２０が送信した関連キーワードを受信する機能を有する。
【０１１０】
関連キーワード保持部３６８は、関連キーワード受信部３６７が受信した関連キーワードを保持する機能を備える。この関連キーワードは、オリジナルキーワードと供に広告選択部３４による表示する広告情報の選択の基準となる。
【０１１１】
以上の説明においては、オリジナルキーワード記憶部３６５と、関連キーワード保持部３６８とを分けて、オリジナルキーワード一覧送信部３６６は、オリジナルキーワード記憶部３６５に保持されているオリジナルキーワードのみ配信サーバ２０に送信しているが、オリジナルキーワード一覧送信部３６６は、オリジナルキーワードに加えて関連キーワード保持部３６８に保持されている関連キーワードもオリジナルキーワード一覧に含めても良い。即ち、オリジナルキーワード一覧送信部３６６は、関連キーワード受信部３６７が前回受信した関連キーワードを今回配信サーバ２０に送信するオリジナルキーワード一覧に含めてもよい。
【０１１２】
こうすることによって、オリジナルキーワードと相関が高い関連キーワードと、更に該関連キーワードと相関が高いキーワードを関連キーワードとして取得できることとなる。このような所謂フィードバックを繰り返すことにより、デジタルフォトフレーム３０の利用者にとって関心のないキーワードが関連キーワードとなることを避けつつ、関連キーワードの精度を高め、より多くの関連キーワードを取得することが可能となる。
【０１１３】
次に、本実施形態の関連キーワード判断部２３の機能について説明する。本実施形態の関連キーワード判断部２３は、オリジナルキーワード一覧受信部２３１、集計値蓄積部２３２、相関判断部２３３、及び関連キーワード送信部２３４を含んで構成されている。
【０１１４】
オリジナルキーワード一覧受信部２３１は、デジタルフォトフレーム３０からオリジナルキーワード一覧を受信する機能を有する。
【０１１５】
集計値蓄積部２３２は、オリジナルキーワード毎に、他のキーワードとの相関に関する値を集計し、保持する機能を有する。
【０１１６】
具体的には、集計値蓄積部２３２は、全てのデジタルフォトフレーム３０が保持しているオリジナルキーワード一覧を受信する。各個別のデジタルフォトフレーム３０から受信したオリジナルキーワード一覧に含まれているオリジナルキーワードは、ある個人が表示を望む広告情報に関連づけられているオリジナルキーワードである。従って、各個別のデジタルフォトフレーム３０から受信したオリジナルキーワード一覧に含まれているオリジナルキーワードは、相互に相関が高いと考えられる。
【０１１７】
図６（ａ）及び（ｂ）に集計値蓄積部２３２が保持する情報の例を示す。図６（ａ）及び（ｂ）に示す表中には数値が省略されているが、全ての枠は、一のキーワードについて他のキーワードと同一のオリジナルキーワード一覧に含まれていた回数を集計した数値である０以上の集計値を保持している。
【０１１８】
例えば、オリジナルキーワード一覧受信部２３１が芸能人名Ａ、芸能人名Ｃ、及び「カメラ」をオリジナルキーワードとして含むオリジナルキーワード一覧を受信したとすると、集計値蓄積部２３２は、図６（ａ）に示した表のうち“ｂ”、“ｅ”、“ｆ”、“ｇ”、“ｉ”、及び“ｊ”で示す位置に保持されている数値に１を加える。
【０１１９】
次に、例えば、オリジナルキーワード一覧受信部２３１が芸能人名Ｄ、及び「カメラ」をオリジナルキーワードとして含むオリジナルキーワード一覧を受信したとする。この場合に、集計値蓄積部２３２が蓄積しているキーワードに芸能人名Ｄが含まれていなかった場合、集計値蓄積部２３２は、図６（ｂ）に示すように、芸能人名Ｄの枠（行及び列）を新たに加える。集計値蓄積部２３２は、新たに加えられた全ての枠の初期値として０を蓄積する。集計値蓄積部２３２は、図６（ｂ）に示した表のうち“ｋ”、及び“ｌ”で示す位置に保持されている数値に１を加える。この場合は、図６（ｂ）に示した表のうち“ｋ”、及び“ｌ”で示す位置に保持されている数値は１となる。
【０１２０】
このような集計を繰り返すことにより、キーワード間の相関を認識することが可能となる。例えば、芸能人名Ａを広告キーワードに含む広告情報について表示することを望む利用者は、同時に「赤いバラ」を広告キーワードに含む広告情報についても表示することを望む傾向が一般的にあった場合には、オリジナルキーワード一覧受信部２３１が受信するオリジナルキーワード一覧に芸能人名Ａ及び「赤いバラ」の両方のオリジナルキーワードを含む傾向があり、従って、“ｃ”及び“ｈ”に保持された数値は大きくなる。
【０１２１】
図４に戻り、相関判断部２３３は、集計値蓄積部２３２を参照し、オリジナルキーワード一覧受信部２３１が受信したオリジナルキーワード一覧に含まれているオリジナルキーワードと相関が高い関連キーワードを判断する機能を有する。
【０１２２】
具体的には、相関判断部２３３は、図６に示す表を参照しオリジナルキーワード毎に最も相関が高いキーワードを検索する。例えば芸能人名Ａと芸能人名Ｂとの相関は“ａ”に保持されている数値によって表現できる。以下同様に、芸能人名Ａと芸能人名Ｃとの相関は“ｂ”によって、芸能人名Ａと「赤いバラ」との相関は“ｃ”によって、芸能人名Ａと「ケーキ」との相関は“ｄ”によって、芸能人名Ａと「カメラ」との相関は“ｅ”によって、それぞれ表現することができる。
【０１２３】
相関判断部２３３は、オリジナルキーワードが芸能人名Ａであった場合には、これらの中で最も相関が高いキーワードを関連キーワードであると判断する。相関判断部２３３は、一つのオリジナルキーワードに対して複数の関連キーワードを判断してもよい。こうすることにより、より広範な関連キーワードを判断することが可能となる。或いは、相関判断部２３３は、図６に示す表中に保持された数値が所定値以上である場合に関連キーワードと判断してもよい。
【０１２４】
関連キーワード送信部２３４は、相関判断部２３３が判断した関連キーワードをデジタルフォトフレーム３０へ送信する機能を有する。
【０１２５】
次に、図７を用いてデジタルフォトフレーム３０のハードウェア構成について説明する。図７に示すようにデジタルフォトフレーム３０は、物理的には、ＣＰＵ（Central  Processing  Unit）等の制御装置１０１、ＲＡＭ（Random  Access  Memory）といった揮発性半導体等のメモリ１０２、通信制御カード等の通信を制御する通信装置１０３、フラッシュメモリー、ハードディスクなどの補助記憶部１０４、タッチパネル或いはボタンなどの入力装置１０５、及び、ＬＣＤ（Liquid  Crystal  Display）や有機ＥＬディスプレイなどの出力装置１０６を備える。デジタルフォトフレーム３０の各機能は、制御装置１０１、メモリ１０２等のハードウェア上に所定のソフトウェアを読み込ませることにより、制御装置１０１の制御のもとで通信装置１０３、出力装置１０６、入力装置１０５を動作させると共に、メモリ１０２や補助記憶部１０４におけるデータの読み出し及び書き込みを行うことで実現される。なお、配信サーバ２０のハードウェア構成も同様である。
【０１２６】
デジタルフォトフレーム３０の入力部３５が有する機能をタッチパネルで実現する場合には、出力装置１０６は、広告情報を表示する際に、例えば“詳細の表示”及び“広告の削除”等のボタンの表示をおこない、当該表示を行っている場所付近に利用者の指が触れた場合に、入力装置１０５は、広告情報の詳細を表示する命令或いは広告情報を削除する命令を受け付けることとしても良い。
【０１２７】
次に、図８を用いて本実施形態の情報表示システム１における処理の流れについて説明する。
【０１２８】
情報送信端末１０は、画像情報をデジタルフォトフレームを特定するアドレスと伴に配信サーバに対して送信する（ステップＳ１０１）。
【０１２９】
配信サーバ２０の画像送信部２１は、情報送信端末１０が送信した画像情報を一時蓄積した後、デジタルフォトフレーム３０に対して送信する（ステップＳ１０２）。
【０１３０】
デジタルフォトフレーム３０の画像処理部３１は、配信サーバ２０から画像情報を受信し、受信した画像情報を保持する（ステップＳ１０３）。
【０１３１】
広告主サーバ４０は、広告情報を広告キーワードと関連付けて配信サーバ２０に送信する（ステップＳ１０４）。
【０１３２】
配信サーバ２０の広告配信部２２は、広告主サーバ４０から広告情報及び広告キーワードを受信し、受信した広告情報及び広告キーワードをデジタルフォトフレーム３０に配信する（ステップＳ１０５）。
【０１３３】
デジタルフォトフレーム３０の広告処理部３２は、配信サーバ２０から広告情報及び広告キーワードを受信し、受信した広告情報及び広告キーワードを保持する（ステップＳ１０６）。なお、図８では、情報送信端末１０が配信サーバ２０に対して画像情報を送信した後に、広告主サーバ４０が配信サーバ２０に対して広告情報等を送信しているように記載されているが、それらの２つの処理は、独立である。それらの２つの処理の先後の関係は、特に限定する必要はない。
【０１３４】
広告選択部３４は、キーワード処理部３６が保持するオリジナルキーワード、及び関連キーワードを参照し、広告処理部３２が保持する広告情報について広告情報と関連付けられた広告キーワードがオリジナルキーワード及び関連キーワードの少なくとも一方に含まれているか否かを判断し、含まれていると判断した場合に、広告選択部３４は該広告情報を表示する広告情報として選択する（ステップＳ１０７）。なお図８において、ステップＳ１０７は、配信サーバ２０がデジタルフォトフレーム３０に対して広告情報等を送信した後に実行されるように記載されているが、ステップＳ１０７は、所定の規則に基づいて広告処理部３２が広告情報を表示部３３に出力する時点で実行されることが好適である。
【０１３５】
表示部３３は、画像処理部３１が保持する画像情報及び広告選択部３４が選択した表示する広告情報を表示する（ステップＳ１０８）。
【０１３６】
入力部３５は、デジタルフォトフレーム３０の利用者によるオリジナルキーワードの直接入力、及び広告情報に対する処理に関する命令の入力を受け付ける（ステップＳ１０９）。
【０１３７】
キーワード処理部３６は、入力部３５が入力を受け付けた直接入力されたオリジナルキーワード、及び広告情報に対する処理に関する命令に基づいてオリジナルキーワード一覧を作成し、作成したオリジナルキーワード一覧を配信サーバ２０へ送信する（ステップＳ１１０）。なお図８において、ステップＳ１１０は、表示部３３がデジタルフォトフレーム３０の利用者によるオリジナルキーワードの直接入力等を受け付けた後で実行されるように記載されているが、ステップＳ１１０は、所定の時間間隔で実行されることが好適である。又は、キーワード処理部３６が保持しているオリジナルキーワード一覧に追加及び変更が生じた時点で実行されてもよい。
【０１３８】
配信サーバ２０の関連キーワード判断部２３は、デジタルフォトフレーム３０からオリジナルキーワード一覧を受信し、受信したオリジナルキーワード一覧に含まれている各オリジナルキーワードと相関が高いキーワードである関連キーワードをデジタルフォトフレーム３０に送信する（ステップＳ１１１）。
【０１３９】
次に、図９を用いてオリジナルキーワード及び関連キーワードに関する処理について詳細に説明する。図９は、図８におけるステップＳ１１０及びＳ１１１における処理を詳細に示したものである。
【０１４０】
図９の処理は、デジタルフォトフレーム３０の入力部３５がデジタルフォトフレーム３０の利用者からオリジナルキーワードの直接入力を受け付けた場合（ステップＳ２０１において“ＹＥＳ”）、入力部３５が、デジタルフォトフレーム３０の利用者から表示部３３に表示された広告情報の詳細を表示する命令を受け付けた場合（ステップＳ２０２において“ＹＥＳ”）、入力部３５が、デジタルフォトフレーム３０の利用者から表示部３３に表示された広告情報を削除する命令を受け付けた場合（ステップＳ２０４において“ＹＥＳ”）、及び、前回新規キーワードテーブルが作成されてから所定の時間が経過した場合（ステップＳ２０６において“ＹＥＳ”）に処理が始まる。
【０１４１】
デジタルフォトフレーム３０の入力部３５がデジタルフォトフレーム３０の利用者によるオリジナルキーワードの直接入力を受け付けた場合（ステップＳ２０１において“ＹＥＳ”）、キーワード処理部３６の直接入力部３６１は、当該直接入力されたオリジナルキーワードを判断部３６４に出力し、処理がステップＳ２０８に移動する。
【０１４２】
入力部３５が、デジタルフォトフレーム３０の利用者による表示部３３に表示された広告情報の詳細を表示する命令を受け付けた場合（ステップＳ２０２において“ＹＥＳ”）、広告キーワード評価部３６２は、表示されている広告情報と関連付けられた広告キーワードと関連付けられた広告キーワードポイントに１を加える（ステップＳ２０３）。
【０１４３】
入力部３５が、デジタルフォトフレーム３０の利用者から表示部３３に表示された広告情報を削除する命令を受け付けた場合（ステップＳ２０４において“ＹＥＳ”）、広告キーワード評価部３６２は、表示されている広告情報と関連付けられた広告キーワードと関連付けられた広告キーワードポイントから１を減ずる（ステップＳ２０５）。
【０１４４】
前回新規キーワードテーブルが作成されてから所定の時間（例えば１週間或いは１ヶ月）が経過した場合（ステップＳ２０６において“ＹＥＳ”）、新規テーブル作成部３６３は、広告キーワード評価部３６２が蓄積している広告キーワードポイントが高い広告キーワードである新規キーワードを所定の数（例えば１０個）含んだ新規キーワードテーブルを作成する。同時に、新規テーブル作成部３６３は、広告キーワード評価部３６２が蓄積している広告キーワードポイントの値を全て０とする（ステップＳ２０７）。
【０１４５】
判断部３６４は、直接入力されたオリジナルキーワード、及び、新規テーブル作成部３６３が作成した新規キーワードテーブルに含まれる新規キーワードがオリジナルキーワード記憶部３６５に保持されているか否かを判断する（ステップＳ２０８）。
【０１４６】
判断部３６４が直接入力されたオリジナルキーワード、及び新規キーワードテーブルに含まれる新規キーワードがオリジナルキーワード記憶部３６５に既に保持されていると判断した場合（ステップＳ２０８において“ＹＥＳ”）、処理が終了する。便宜上図面では簡略に表現しているが、判断部３６４が新規キーワードテーブルを入力した場合、判断部３６４は、新規キーワードテーブルに所定の数（例えば１０個）含まれているそれぞれの新規キーワードについてオリジナルキーワード記憶部３６５に保持されているか否かを判断する。
【０１４７】
判断部３６４は、直接入力されたオリジナルキーワード、或いは新規キーワードテーブルに含まれる広告キーワードがオリジナルキーワード記憶部３６５に保持されていないと判断した場合（ステップＳ２０８において“ＮＯ”）、オリジナルキーワード記憶部３６５は、当該キーワードをオリジナルキーワードとして保持する（ステップＳ２０９）。
【０１４８】
オリジナルキーワード一覧送信部３６６は、配信サーバ２０に対してオリジナルキーワード一覧を送信する（ステップＳ２１０）。
【０１４９】
配信サーバ２０のオリジナルキーワード一覧受信部２３１は、オリジナルキーワード一覧送信部３６６が送信したオリジナルキーワード一覧を受信し、集計値蓄積部２３２は、オリジナルキーワード一覧受信部２３１が受信したオリジナルキーワード一覧に含まれるそれぞれのオリジナルキーワードについて、他のキーワードとの相関に関する値を集計し、蓄積する（ステップＳ２１１）。
【０１５０】
相関判断部２３３は、集計値蓄積部２３２を参照し、オリジナルキーワード一覧受信部２３１が受信したオリジナルキーワード一覧に含まれるオリジナルキーワードと相関が高い関連キーワードを判断する（ステップＳ２１２）。
【０１５１】
関連キーワード送信部２３４は、相関判断部２３３が判断した関連キーワードをデジタルフォトフレーム３０へ送信する（ステップＳ２１３）。
【０１５２】
デジタルフォトフレーム３０の関連キーワード受信部３６７は、配信サーバ２０が送信した関連キーワードを受信し、関連キーワード保持部３６８は、関連キーワード受信部３６７が受信した関連キーワードを保持する（ステップＳ２１４）。
【０１５３】
次に、本実施形態の作用及び効果について説明する。
【０１５４】
本実施形態のデジタルフォトフレーム３０は、キーワード処理部３６が、オリジナルキーワード及び該オリジナルキーワードと相関が高いキーワードである関連キーワードを取得し、広告選択部３４は、広告キーワードがオリジナルキーワード及び関連キーワードのうちの少なくとも一方に含まれているか否かを判断し、含まれていると判断した場合に広告キーワードと関連付けられた広告情報を表示する広告情報として選択し、表示部３３は、広告選択部３４が選択した表示する広告情報を表示している。オリジナルキーワードだけではなく、オリジナルキーワードと相関が高いキーワードである関連キーワードと、広告情報と関連付けられた広告キーワードと、を比較して広告情報を表示するか否かを判断しているため、オリジナルキーワードが多く登録されていない時期であっても、特定の分野に偏重することなく、多様な種類の広告情報を表示することが可能となる。
【０１５５】
図１０を用いてこの点を説明する。図１０は、ユーザプロファイルとして装置に登録されているオリジナルキーワード、該オリジナルキーワードと相関が高いキーワードである関連キーワード１、関連キーワード２、及び関連キーワード３、並びにオリジナルキーワードと各関連キーワードとの相関の高さを示す相関係数の例を示した図である。いま、装置は使用され始めてから時間が経っておらず、オリジナルキーワードとして芸能人名１、芸能人名３、「旅行」、及び「ファッション」のみが登録されているとする。
【０１５６】
始めに、広告情報が広告キーワードと関連付けられており、広告キーワードが既に登録されているオリジナルキーワードに含まれる場合に、関連付けられた広告情報を表示し、広告キーワードが既に登録されているオリジナルキーワードに含まれない場合に、関連付けられた広告情報は表示しない制御を行う場合を考える。
【０１５７】
このような制御では、図１０に示す例では、芸能人名１と相関が高いにもかかわらず、「赤いバラ」を広告キーワードに含む広告情報について適切に表示することが出来ない。
【０１５８】
次に、複数のオリジナルキーワードから利用者の嗜好分野を分析して、該分析された嗜好分野に関連する広告情報は表示し、それ以外の分野の広告情報は表示しない制御を行う場合を考える。
【０１５９】
この場合、図１０で例示したように、オリジナルキーワードとして芸能人名１、芸能人名３、「旅行」、及び「ファッション」が登録されているとすると、「芸能界」、「旅行」、「ファッション」等の嗜好分野が利用者の嗜好分野として予想されることとなる。この場合、装置の利用者にとって全く関係がないかも知れない、例えば、芸能人名４、芸能人名５、等を広告キーワードとして含む広告情報は表示される。一方で、「花」等の嗜好分野に含まれるが「芸能界」の嗜好分野には関連していない「赤いバラ」を広告キーワードに含む広告情報について適切に表示することが出来ない。
【０１６０】
このように、オリジナルキーワードから利用者の嗜好分野を分析し、該分析された嗜好分野に関連する広告情報を表示する方法によっては、広告情報の分野に広がりを持たせることが出来ず、且つ特定の分野に偏重してしまう。
【０１６１】
一方、本発明のようにオリジナルキーワードと、オリジナルキーワードと関連が高い関連キーワードと、に基づいて広告情報を表示するか否かを判断している場合には、芸能人名１がオリジナルキーワードとして登録されている場合に、芸能人名１と相関が高い関連キーワードである「赤いバラ」、芸能人名２、及び「グループ名１」等は、関連キーワードとして判断される。それらの関連キーワードにも基づいて広告情報を表示するか否かが判断されるため、利用し始めてから時間が多くは経過していない時期においてユーザプロファイル情報（オリジナルキーワード）が多く登録されていない時期であっても、特定の分野に偏重することなく、最適な広告情報を表示することが可能となる。
【０１６２】
また、本実施形態のデジタルフォトフレーム３０は、オリジナルキーワードとしての文字列の入力を受け付ける入力部３５をさらに備え、オリジナルキーワード記憶部３６５は、前記入力部３５により受け付けられたオリジナルキーワードを記憶している。そのために、デジタルフォトフレーム３０の利用者は個別且つ直接にオリジナルキーワードの入力を行うことが可能となる。
【０１６３】
また、デジタルフォトフレーム３０は、表示される広告情報を閲覧する利用者の操作に基づいて広告情報に関連付けられている複数の広告キーワードから選別して、オリジナルキーワードとして取得する広告キーワード評価部３６２および新規テーブル作成部３６３をさらに備え、オリジナルキーワード記憶部３６５は、広告キーワード評価部３６２および新規テーブル作成部３６３により取得されたオリジナルキーワードを記憶している。その為、デジタルフォトフレーム３０の利用者は特別な操作をすることなく、オリジナルキーワードを保持することが可能となる。
【０１６４】
また、キーワード処理部３６は、オリジナルキーワード記憶部３６５が記憶するオリジナルキーワードの一覧であるオリジナルキーワード一覧を配信サーバ２０に送信するオリジナルキーワード一覧送信部３６６と、配信サーバ２０から関連キーワードを受信する関連キーワード受信部３６７と、関連キーワード受信部３６７が受信した関連キーワードを保持する関連キーワード保持部３６８と、を備える。その為、キーワード処理部３６は、配信サーバ２０が複数のデジタルフォトフレーム３０から受信し、蓄積した情報に基づいて判断した適切な関連キーワードを取得でき、該適切な関連キーワードに基づいてより適切な広告情報を表示することが可能となる。
【０１６５】
また、キーワード処理部３６は、オリジナルキーワードのみ送信すればよく、個人を特定するための情報を配信サーバ２０に送信する必要がないため、個人情報を外部に送信することを望まない利用者も安心してデジタルフォトフレーム３０を利用することが可能となる。
【０１６６】
また、オリジナルキーワード一覧送信部３６６は、関連キーワード受信部３６７が前回受信した関連キーワードをオリジナルキーワード一覧に含めて配信サーバ２０に送信することが好適である。前回受信した関連キーワードをオリジナルキーワードとして配信サーバ２０に送信し、オリジナルキーワードとして送信された関連キーワードと相関が高い次の関連キーワードを判断することを繰り返すことにより、デジタルフォトフレーム３０利用者にとって関心いキーワードが登録されることを避けながら更に多様な関連キーワードを取得することが可能となる。
【０１６７】
また、キーワード処理部３６は、入力部３５が文字列の入力を受け付けた場合に、該文字列を入力部３５から入力する直接入力部３６１を更に備え、広告キーワード評価部３６２は、入力部３５が広告情報に対する処理に関する命令を受け付けた場合に、該処理内容に応じて該広告情報に関連付けられた広告キーワードの評価値を変更することによって、該広告キーワードを評価し、評価値が高い広告キーワードを新規キーワードとして取得している。その為、キーワード処理部３６は、オリジナルキーワードをデジタルフォトフレーム３０の利用者が直接入力すること（直接入力されたオリジナルキーワード）、及び、デジタルフォトフレーム３０の利用者が行った広告情報に対する処理に関する命令に基づく自動的な登録（新規キーワード）によって作成することとなる。したがってデジタルフォトフレーム３０の利用者は特別な操作をする必要がなく最適なオリジナルキーワードが作成され、特定のキーワードをオリジナルキーワードに含めたい或いは削除したいと望む場合は、デジタルフォトフレーム３０の利用者は、直接入力することによって特定のキーワードをオリジナルキーワードに含める或いは削除することが可能となる。
【０１６８】
［変形例］
上記実施形態においては、配信サーバ２０に対してオリジナルキーワード一覧を送信している。この方法によって、オリジナルキーワード一覧のみ送信しており、個人情報を外部に送信したくない利用者が安心してデジタルフォトフレーム３０を利用することが可能となる。
【０１６９】
変形例として、デジタルフォトフレーム３０の利用者が設定した特定のキーワードがオリジナルキーワード一覧に含まれる場合にその特定のキーワードは配信サーバ２０に送信しないこととしても良い。
【０１７０】
その場合、入力部３５は、配信サーバ２０に送信しない特定のキーワードの直接入力をデジタルフォトフレーム３０の利用者から受け付ける。オリジナルキーワード一覧送信部３６６は、配信サーバ２０に送信しない特定のキーワードを入力部３５から入力し、オリジナルキーワード一覧に配信サーバ２０に送信しない特定のキーワードが含まれている場合には、該オリジナルキーワードを削除する。
【０１７１】
例えば自分が住んでいる市町村名、或いは勤める会社名などがオリジナルキーワードに含まれている場合など、そのようなキーワードを配信サーバ２０に送信しない特定のキーワードとして予めデジタルフォトフレーム３０に直接入力しておくことで、配信サーバ２０への送信を禁止することが可能となる。
【０１７２】
次に、本実施形態の別の変形例として、デジタルフォトフレーム３０はデジタルフォトフレーム３０の利用者が所有する携帯電話などと通信を行えることとしても良い。
【０１７３】
例えば、デジタルフォトフレーム３０の利用者が所有する携帯電話などがＧＰＳ（GlobalPositioning System）を搭載した携帯電話である場合に、該デジタルフォトフレーム３０の利用者が所有する携帯電話は、デジタルフォトフレーム３０の利用者の行動範囲に関する情報を収集し、収集した行動範囲に関する情報をデジタルフォトフレーム３０が備える短距離通信部（図示せず）に対して送信する。図示しない短距離通信部は、受信したデジタルフォトフレーム３０の利用者の行動範囲に関する情報をキーワード処理部３６に出力する。
【０１７４】
デジタルフォトフレーム３０のキーワード処理部３６は、図示しない短距離通信部が受信したデジタルフォトフレーム３０の利用者の行動範囲に関する情報から新たなオリジナルキーワードを自動的に抽出する。
【０１７５】
例えば、図示しない短距離通信部が受信した情報からデジタルフォトフレーム３０の利用者がラーメン屋にいたと判断できる場合に、キーワード処理部３６は、「ラーメン」をオリジナルキーワードに加えてもよい。或いは、短距離通信部が受した情報からデジタルフォトフレーム３０の利用者が美術館にいたと判断できる場合は、キーワード処理部３６は、「美術館」をオリジナルキーワードに加えてもよい。
【０１７６】
また、デジタルフォトフレーム３０の利用者が所有する携帯電話は、デジタルフォトフレーム３０の利用者が該携帯電話を介した物品購入履歴、ブログへの書き込み履歴、或いは掲示板などへの書き込み履歴等を、図示しない短距離通信部を介してキーワード処理部３６へ送信してもよい。キーワード処理部３６は、それらの情報に基づくことで、更に詳細なオリジナルキーワードを加えることが出来る。
【０１７７】
このような構成とすることによって、デジタルフォトフレーム３０の利用者が詳細なオリジナルキーワードを直接入力することなく、適切なオリジナルキーワードを加えることが可能となり、利用し始めの時期であっても多くの適切なキーワードが登録されることとなる。
【０１７８】
本実施形態の更に別の変形例では、デジタルフォトフレーム３０のキーワード処理部３６は、広告効果を測定するための情報を配信サーバ２０へ送信しても良い。
【０１７９】
この場合、入力部３５は、広告情報に対する処理に関する命令を受け付けると、受け付けた広告情報に対する処理に関する命令、及びこの命令の対象である広告情報を特定する情報と関連付けて配信サーバ２０に送信する。配信サーバ２０における図示しない集計部はデジタルフォトフレーム３０から受信した広告情報に対する処理に関する命令を、広告情報毎に集計する。
【０１８０】
これによって、デジタルフォトフレーム３０の利用者が特定の広告情報に対してどのような反応をしたかを知ることができ、広告情報の効果を測定することが可能となる。
【０１８１】
また、デジタルフォトフレーム３０における図示しない発注部は、広告情報に係る商品の発注及び決済を行い、デジタルフォトフレーム３０を介した広告情報の対象商品の購入履歴をデジタルフォトフレーム３０に送信することによっても広告情報の効果を集計することが可能である。
【０１８２】
これらは、全体の傾向を把握できれば十分に作用及び効果を得られる。従って、デジタルフォトフレーム３０の利用者の個人を特定する情報と関連付けて配信サーバ２０へ送信する必要はない。
【０１８３】
このような構成とすることで、これまで正確な把握が困難であった広告情報の効果を測定し、広告主サーバ４０へフィードバックすることが可能となる。
【符号の説明】
【０１８４】
１…情報表示システム、１０…情報送信端末、２０…配信サーバ、２１…画像送信部、２２…広告配信部、２３…関連キーワード判断部、２３１…オリジナルキーワード一覧受信部、２３２…集計値蓄積部、２３３…相関判断部、２３４…関連キーワード送信部、３０…デジタルフォトフレーム、３１…画像処理部、３１１…画像情報受信部、３１２…画像情報保持部、３１３…画像情報出力部、３２…広告処理部、３２１…広告情報受信部、３２２…広告情報保持部、３２３…広告情報出力部、３３…表示部、３４…広告選択部、３５…入力部、３６…キーワード処理部、３６１…直接入力部、３６２…広告キーワード評価部、３６３…新規テーブル作成部、３６４…判断部、３６５…オリジナルキーワード記憶部、３６６…オリジナルキーワード一覧送信部、３６７…関連キーワード受信部、３６８…関連キーワード保持部、４０…広告主サーバ。
【図１】
0005431069.tif 000002
【図２】
0005431069.tif 000003
【図３】
0005431069.tif 000004
【図４】
0005431069.tif 000005
【図５】
0005431069.tif 000006
【図６】
0005431069.tif 000007
【図７】
0005431069.tif 000008
【図８】
0005431069.tif 000009
【図９】
0005431069.tif 000010
【図１０】
0005431069.tif 000011